(57)【要約】【課題】複数の発光モジュールによって所望の発光状態を得ることができる照明システムを提供する。【解決手段】一または複数の発光素子１３を有する発光モジュール１１を設置面に複数配設し、制御装置３０によって各発光モジュール１１の発光を制御する照明システム１において、発光モジュール１０は該発光モジュール１０の光学特性情報を保持する光学特性情報保持部１７を備え、制御装置３０は各発光モジュール１０の駆動電流を光学特性情報に基づいて可変する。【選択図】図３
2012014894.tif 000002
【特許請求の範囲】
【請求項１】
一または複数の発光素子を有する発光モジュールを設置面に複数配設し、制御装置によって各前記発光モジュールの発光を制御する照明システムにおいて、前記発光モジュールは該発光モジュールの光学特性情報を保持する光学特性情報保持部を備え、前記制御装置は各前記発光モジュールの駆動電流を前記光学特性情報に基づいて可変することを特徴とする照明システム。
【請求項２】
前記制御装置は、各前記発光モジュールに対して所定の明るさまたは色が得られる駆動電流を前記光学特性情報から導出して各前記発光モジュールを駆動することを特徴とする請求項１に記載の照明システム。
【請求項３】
前記制御装置は、各前記発光モジュールが接続されるマスター部と、各前記発光モジュールに設けられるスレーブ部とを有し、前記マスター部から前記スレーブ部に各前記発光モジュールを発光させる明るさまたは色が指示され、前記スレーブ部によって前記マスター部の指示に対応した駆動電流を導出して前記発光モジュールを駆動することを特徴とする請求項２に記載の照明システム。
【請求項４】
各前記発光モジュールの位置情報を保持する位置情報保持部を備え、前記制御装置が前記位置情報に応じて各前記発光モジュールの駆動電流を可変することを特徴とする請求項１〜請求項３のいずれかに記載の照明システム。
【請求項５】
前記位置情報保持部が各前記発光モジュールに設けられたメモリから成ることを特徴とする請求項４に記載の照明システム。
【請求項６】
前記位置情報保持部は、複数の前記発光モジュールを連結した発光ユニットの位置情報を記憶するメモリを有することを特徴とする請求項４に記載の照明システム。
【請求項７】
各前記発光モジュールに設けられるとともに前記発光ユニット上の各前記発光モジュールの位置を設定する設定部とを有することを特徴とする請求項６に記載の照明システム。
【請求項８】
前記位置情報保持部が前記制御装置に設けられたメモリから成ることを特徴とする請求項４に記載の照明システム。
【請求項９】
前記制御装置によって隣接する前記発光モジュールの輝度または色度の差を所定範囲にしたことを特徴とする請求項４〜請求項８のいずれかに記載の照明システム。
【請求項１０】
前記光学特性情報が前記発光モジュールに基準とする電流を供給した時の輝度情報から成ることを特徴とする請求項１〜請求項９のいずれかに記載の照明システム。
【請求項１１】
前記発光素子が異なる色を発光する複数の発光部を有し、前記光学特性情報が前記発光モジュールに基準とする電流を供給した時の輝度情報及び色度情報から成ることを特徴とする請求項１〜請求項９のいずれかに記載の照明システム。
【請求項１２】
一または複数の発光素子を備えた発光モジュールにおいて、前記発光モジュールの光学特性情報を保持する光学特性情報保持部を設けたことを特徴とする発光モジュール。
【請求項１３】
前記光学特性情報が基準とする電流を供給された時の輝度情報から成ることを特徴とする請求項１２に記載の発光モジュール。
【請求項１４】
前記発光素子が異なる色を発光する複数の発光部を有し、前記光学特性情報が基準とする電流を供給された時の輝度情報及び色度情報から成ることを特徴とする請求項１２に記載の発光モジュール。
【発明の詳細な説明】
【技術分野】
【０００１】
本発明は、発光素子を有した発光モジュールに関する。また本発明は、設置面に配設された複数の発光モジュールをそれぞれ制御して発光させる照明システムに関する。
【背景技術】
【０００２】
従来の照明システムは特許文献１に開示されている。この照明システムはパネル状の複数の発光モジュールをマトリクス状に配して屋内や屋外の壁面等の設置面に並設した発光ユニットを備えている。各発光モジュールには複数のＬＥＤやＯＬＥＤ等の発光素子が設けられ、制御装置を介して電源に接続される。制御装置によって各発光モジュールが所定の駆動電流で駆動されて発光し、屋内や屋外の照明を行うことができる。また、制御装置によって各発光モジュールを独立に制御し、設置面上の異なる位置で所望の発光状態を得ることができる。
【先行技術文献】
【特許文献】
【０００３】
【特許文献１】特表２００７−５３６７０８号公報（第６頁−第１６頁、第３ａ図）
【発明の概要】
【発明が解決しようとする課題】
【０００４】
しかしながら、上記従来の照明システムによると、発光モジュールに設けられるＬＥＤ等の発光素子は発光時の明るさや色の光学特性にばらつきがある。このため、各発光モジュールに制御装置から同じ駆動電流（例えば、定格電流）を供給しても、各発光モジュールに設けられた発光素子の光学特性のばらつきによって各発光モジュールに明るさや色のばらつきが生じる。従って、発光ユニット全体が均一に発光しない。
【０００５】
また、発光ユニット内の各発光モジュールの配置に応じて異なる駆動電流を供給し、グラデーション等の照明効果を施して発光ユニットを発光させることができる。この場合においても、発光素子の光学特性のばらつきによって、例えば、明るい位置の発光モジュールが暗く発光する場合や暗い位置の発光モジュールが明るく発光する場合がある。
【０００６】
従って、発光素子の光学特性のばらつきによって複数の発光モジュール間に明るさや色のばらつきが生じ、照明システムが所望の発光状態を得られない問題があった。
【０００７】
本発明は、複数の発光モジュールによって所望の発光状態を得ることができる照明システムを提供することを目的とする。また本発明は、所望の発光状態を得ることができる発光モジュールを提供することを目的とする。
【課題を解決するための手段】
【０００８】
上記目的を達成するために本発明は、一または複数の発光素子を有する発光モジュールを設置面に複数配設し、制御装置によって各前記発光モジュールの発光を制御する照明システムにおいて、前記発光モジュールは該発光モジュールの光学特性情報を保持する光学特性情報保持部を備え、前記制御装置は各前記発光モジュールの駆動電流を前記光学特性情報に基づいて可変することを特徴としている。
【０００９】
この構成によると、複数の発光モジュールが屋内や屋外の壁面等の設置面に配設される。発光モジュールは光学特性情報保持部を備え、発光モジュール自身の明るさや色等の光学特性情報が光学特性情報保持部に保持される。各発光モジュールは制御装置により駆動電流が供給されて発光する。この時、制御装置は各発光モジュールの光学特性情報に基づいて各発光モジュールの駆動電流を所望の発光状態が得られるように可変する。
【００１０】
また本発明は、上記構成の照明システムにおいて、前記制御装置は、各前記発光モジュールに対して所定の明るさまたは色が得られる駆動電流を前記光学特性情報から導出して各前記発光モジュールを駆動することを特徴としている。
【００１１】
また本発明は、上記構成の照明システムにおいて、前記制御装置は、各前記発光モジュールが接続されるマスター部と、各前記発光モジュールに設けられるスレーブ部とを有し、前記マスター部から前記スレーブ部に各前記発光モジュールを発光させる明るさまたは色が指示され、前記スレーブ部によって前記マスター部の指示に対応した駆動電流を導出して前記発光モジュールを駆動することを特徴としている。
【００１２】
この構成によると、各発光モジュールに接続されるマスター部は各発光モジュールの発光時の明るさまたは色の発光情報を送信する。発光情報は各発光モジュールに設けられるスレーブ部により受信される。スレーブ部は各発光モジュールの光学特性情報に基づいて発光情報の明るさまたは色が得られる駆動電流を導出し、発光素子に供給する。
【００１３】
また本発明は、上記構成の照明システムにおいて、各前記発光モジュールの位置情報を保持する位置情報保持部を備え、前記制御装置が前記位置情報に応じて各前記発光モジュールの駆動電流を可変することを特徴としている。この構成によると、各発光モジュールが設置面に設置されると、位置情報保持部に各発光モジュールの位置情報が保持される。制御装置は位置情報保持部から位置情報を取得し、発光モジュールの位置に応じて異なる発光状態で発光モジュールを発光させることができる。これにより、グラデーション等の照明効果等を得ることができる。
【００１４】
また本発明は、上記構成の照明システムにおいて、前記位置情報保持部が各前記発光モジュールに設けられたメモリから成ることを特徴としている。この構成によると、各発光モジュールが設置面に取付けられると、各発光モジュールに設けたメモリに位置情報が記憶される。
【００１５】
また本発明は、上記構成の照明システムにおいて、前記位置情報保持部は、複数の前記発光モジュールを連結した発光ユニットの位置情報を記憶するメモリを有することを特徴としている。
【００１６】
この構成によると、複数の発光モジュールを連結した発光ユニットが設置面に取付けられると、発光ユニットに設けたメモリに各発光ユニットの位置情報が記憶される。これにより、メモリに記憶された発光ユニットの位置情報を各発光モジュールの位置情報として制御装置によって各発光モジュールの駆動電流が可変される。
【００１７】
また本発明は、上記構成の照明システムにおいて、各前記発光モジュールに設けられるとともに前記発光ユニット上の各前記発光モジュールの位置を設定する設定部とを有することを特徴としている。
【００１８】
この構成によると、複数の発光モジュールを連結した発光ユニットが設置面に取付けられると、発光ユニットに設けたメモリに各発光ユニットの位置情報が記憶される。また、発光モジュールに設けたディップスイッチ等の設定部によって発光ユニット上の各発光モジュールの相対位置が設定される。メモリ及び設定部から成る位置情報保持部によって各発光モジュールの位置が保持される。
【００１９】
また本発明は、上記構成の照明システムにおいて、前記位置情報保持部が前記制御装置に設けられたメモリから成ることを特徴としている。この構成によると、各発光モジュールが設置面に取付けられると、制御装置に設けたメモリに各発光モジュールの位置情報が記憶される。
【００２０】
また本発明は、上記構成の照明システムにおいて、前記制御装置によって隣接する前記発光モジュールの輝度または色度の差を所定範囲にしたことを特徴としている。この構成によると、制御装置は位置情報保持部から読み出した位置情報によって隣接する発光モジュールを検知し、隣接する発光モジュールの輝度または色度の差が所定範囲になる駆動電流を各発光モジュールに供給する。
【００２１】
また本発明は、上記構成の照明システムにおいて、前記光学特性情報が前記発光モジュールに基準とする電流を供給した時の輝度情報から成ることを特徴としている。この構成によると、光学特性情報保持部に保持された輝度情報に基づいて制御装置は所望の明るさが得られる駆動電流を発光モジュールに供給する。
【００２２】
また本発明は、上記構成の照明システムにおいて、前記発光素子が異なる色を発光する複数の発光部を有し、前記光学特性情報が前記発光モジュールに基準とする電流を供給した時の輝度情報及び色度情報から成ることを特徴としている。この構成によると、発光素子は例えば、ＲＧＢの各色を発光する複数の発光部を有する。光学特性情報保持部に保持された輝度情報及び色度情報に基づいて制御装置は所望の明るさ及び色が得られる駆動電流を発光モジュールに供給する。
【００２３】
また本発明は、一または複数の発光素子を備えた発光モジュールにおいて、前記発光モジュールの光学特性情報を保持する光学特性情報保持部を設けたことを特徴としている。この構成によると、発光モジュールは発光モジュール自身の明るさや色等の光学特性情報をメモリ等の光学特性情報保持部に保持する。光学特性情報保持部から読み出される光学特性情報に基づいて可変した駆動電流が発光モジュールに供給される。
【００２４】
また本発明は、上記構成の発光モジュールにおいて、前記光学特性情報が基準とする電流を供給された時の輝度情報から成ることを特徴としている。
【００２５】
また本発明は、上記構成の発光モジュールにおいて、前記発光素子が異なる色を発光する複数の発光部を有し、前記光学特性情報が基準とする電流を供給された時の輝度情報及び色度情報から成ることを特徴としている。
【発明の効果】
【００２６】
本発明の照明システムによると、発光モジュールが光学特性情報を保持する光学特性情報保持部を備え、制御装置が各発光モジュールの駆動電流を光学特性情報に基づいて可変するので、光学特性のばらつきを補正して各発光モジュールを発光させることができる。従って、照明システムの所望の発光状態を得ることができる。
【００２７】
また本発明の発光モジュールによると、発光モジュール自身の光学特性情報を保持する光学特性情報保持部を備えるので、光学特性のばらつきを補正して発光モジュールを所望の明るさや色で発光させることができる。
【図面の簡単な説明】
【００２８】
【図１】本発明の第１実施形態の照明システムの発光モジュールを示す平面図
【図２】本発明の第１実施形態の照明システムの発光ユニットを示す平面図
【図３】本発明の第１実施形態の照明システムの構成を示すブロック図
【図４】本発明の第１実施形態の照明システムの施工例の家屋を示す正面図
【図５】本発明の第１実施形態の照明システムの施工例の家屋を示す側面図
【図６】本発明の第１実施形態の照明システムの施工例の家屋の１階を示す平面図
【図７】本発明の第１実施形態の照明システムの施工例の家屋の２階を示す平面図
【図８】本発明の第１実施形態の照明システムの全体均一発光モードの動作を示すフローチャート
【図９】本発明の第１実施形態の照明システムのグラデーション発光モードの動作を示すフローチャート
【図１０】本発明の第１実施形態の照明システムの部分均一発光モードの動作を示すフローチャート
【図１１】本発明の第２実施形態の照明システムの構成を示すブロック図
【図１２】本発明の第３実施形態の照明システムの構成を示すブロック図
【発明を実施するための形態】
【００２９】
以下に本発明の実施形態を図面を参照して説明する。図１は第１実施形態の照明システムの発光モジュールを示す平面図である。照明システム１（図３参照）は複数の発光モジュール１１を連結した発光ユニット１０（図２参照）を備えている。
【００３０】
発光モジュール１１は例えば、１００ｍｍ×１００ｍｍの矩形に形成されたパネル状の基材１２上に複数の発光素子１３が設けられる。発光モジュール１１内に設けられる発光素子１３が一つであってもよい。発光素子１３はＬＥＤ等から成り、複数の発光部１３Ｒ、１３Ｇ、１３Ｂを有している。発光部１３Ｒ（赤色ＬＥＤ）、１３Ｇ（緑色ＬＥＤ）、１３Ｂ（青色ＬＥＤ）はそれぞれ赤色、緑色、青色を発光する。発光素子１３は各発光部１３Ｒ、１３Ｇ、１３Ｂの駆動電流に応じた明るさ及び色で発光する。尚、発光素子１３が単色光を発光するＬＥＤ等の素子であってもよい。
【００３１】
発光素子１３の前面にはレンズ１４が配される。レンズ１４によって発光素子１３の出射光が平行光に変換される。基材１２の各辺には接続端子１５が設けられる。接続端子１５によって隣接する発光モジュール１１が電気的に接続される。また、基材１２には詳細を後述するディップスイッチ１６が設けられる。
【００３２】
図２は発光ユニット１０を示す平面図である。発光ユニット１０は枠材１８によって複数の発光モジュール１１をマトリクス状に連結し、例えば、６００ｍｍ×１２００ｍｍに形成される。発光ユニット１０には基準位置（同図では右下）の発光モジュール１１の接続端子１５から延びるコード部１９が導出される。前述したように隣接する発光ユニット１０は接続端子１５により接続される。これにより、コード部１９及び接続端子１５を介して発光ユニット１０内の各発光モジュール１１に対して電力供給及びデータ通信が行われる。
【００３３】
また、発光モジュール１１はディップスイッチ１６（設定部：図１参照）によって発光ユニット１０内の相対位置が設定される。ディップスイッチ１６は例えば、２段に構成され、上段により列位置を設定して下段により行位置を設定する。
【００３４】
図３は照明システム１の構成を示すブロック図である。照明システム１は一または複数（本実施形態では３個）の発光ユニット１０を制御する制御装置３０を備えている。制御装置３０には各発光ユニット１０及び操作部３１が接続される。制御装置３０は商用電源に接続され、コード部１９（図２参照）を介して接続される発光ユニット１０の各発光モジュール１１に駆動電流を供給する。操作部３１は操作キーやダイヤルキーを有したリモートコントローラ等から成り、照明システム１のオンオフ操作や照明効果の設定操作等を行う。
【００３５】
発光ユニット１０は屋内や屋外の壁面等の設置面に設置され、制御装置３０から供給される駆動電流によって各発光モジュール１１が発光して屋内や屋外を照明する。複数の発光モジュール１１を有する発光ユニット１０にはユニット位置記憶部２１が設けられる。ユニット位置記憶部２１は不揮発性のメモリにより形成され、基準位置（例えば、制御装置３０）に対する発光ユニット１０の位置情報が記憶される。
【００３６】
これにより、各発光モジュール１１はユニット位置記憶部２１及びディップスイッチ１６に保持される位置情報によって基準位置に対する位置が特定される。従って、ユニット位置記憶部２１及びディップスイッチ１６は各発光モジュール１１の位置情報を保持する位置情報保持部を構成する。尚、ユニット位置記憶部２１及びディップスイッチ１６に保持される位置情報はコード部１９（図２参照）を介して制御装置３０によって読み出すことができる。また、位置情報保持部がユニット位置記憶部２１を省いてディップスイッチ１６のみから構成されていてもよい。
【００３７】
各発光モジュール１１には光学特性記憶部１７（光学特性情報保持部）が設けられる。光学特性記憶部１７は不揮発性のメモリにより形成され、発光モジュール１１自身の光学特性情報を記憶して保持する。発光モジュール１１の光学特性情報は複数の発光素子１３の光学特性情報の平均値から成っている。
【００３８】
光学特性情報は発光モジュール１１を基準とする電流としての定格電流で駆動した時のＲＧＢ形式やＹｘｙ形式等の輝度情報及び色度情報を有する。尚、発光素子１３が単色光を発光する場合は光学特性情報が輝度情報を有し、色度情報を含まなくてもよい。
【００３９】
図４、図５は照明システム１の施工例の家屋を示す正面図及び側面図である。また、図６、図７はこの家屋の１階の平面図及び２階の平面図を示している。これらの図中の数値の単位はｍｍである。照明システム１は１階の壁面に２つの発光ユニット１０（以下、「発光ユニットＡ」、「発光ユニットＢ」という場合がある）が設置され、２階の壁面に１つの発光ユニット１０（以下、「発光ユニットＣ」という場合がある）が設置される。尚、正面から見て１階の右奥に制御装置３０が設置される。
【００４０】
表１は光学特性記憶部１７及びユニット位置記憶部２１により記憶されるデータの一例を示している。
【００４１】
【表１】
2012014894.tif 000003
【００４２】
光学特性記憶部１７には発光モジュール１１のＩＤ及び光学特性情報が記憶される。ＩＤが「ＡＡ」、「ＡＢ」、「ＡＣ」は発光ユニットＡの発光モジュール１１を示している。ＩＤが「ＢＡ」、「ＢＢ」、「ＢＣ」は発光ユニットＢの発光モジュール１１を示している。ＩＤが「ＣＡ」、「ＣＢ」、「ＣＣ」は発光ユニットＣの発光モジュール１１を示している。理解を容易にするために上記のＩＤを例にしているが、各発光モジュール１１は発光ユニット１０を形成する前に製造番号等の固有のＩＤが付される。このため、通常は発光ユニット１０内で各発光モジュール１１のＩＤが不規則な値になる。
【００４３】
光学特性情報は基準とする電流である定格電流時のスペック（Ｙｘｙ形式）及びスペックからの差分値（ΔＹ、Δｘ、Δｙ）等により表わされる。尚、光学特性情報（Ｙ、ｘ、ｙ、ΔＹ、Δｘ、Δｙ）は光学素子１３のＲＧＢ値から計算されるＹｘｙ値に所定の演算処理を施した値になっている。光学特性情報として定格電流時の絶対値（スペック＋差分値）を記憶してもよい。
【００４４】
ユニット位置記憶部２１には制御装置３０の設置位置に対する発光ユニット１０の位置情報が記憶される。位置情報には発光ユニット１０の座標及び向きが含まれる。この時、制御装置３０の設置位置に対して左右方向をＰｘ方向（右方向を正方向）、前後方向をＰｙ方向（後方向を正方向）、上下方向をＰｚ方向（上方向を正方向）としている。また、発光ユニット１０の向きは出射方向のＰｘ方向に対するＰｘ−Ｐｙ面内の角度Ｐθ及び鉛直に対する角度Ｐφで表わしている。例えば、発光ユニット１０を天井面に設置した場合はＰφ＝９０゜、床面に設置した場合はＰφ＝２７０゜である。
【００４５】
上記構成の照明システム１において、図８は発光ユニットＡ、Ｂ、Ｃ全体を均一に発光させる全体均一発光モードの動作を示すフローチャートである。説明を簡単にするため、照明光の明るさを可変する動作を説明するが、同様の動作によって照明光の明るさ及び色を可変することができる。
【００４６】
ステップ＃１１では操作部３１の操作によって照明の明るさが設定されるまで待機する。照明の明るさはボリューム等によって例えば、５段階のレベルに切り替えることができるようになっている。照明の明るさが設定されるとステップ＃１２で最大レベルの明るさか否かが判断される。設定された明るさが最大レベルでない場合はステップ＃１４に移行する。
【００４７】
設定された明るさが最大レベルの場合は各発光モジュール１１に定格電流を加えてスペックの輝度で照明を行えばよい。しかし、定格電流時にスペックと異なる輝度の発光モジュール１１が含まれる。このため、ステップ＃１３で全ての発光ユニット１０の発光モジュール１１の光学特性記憶部１７から定格電流時の輝度の差分値ΔＹが読み出され、輝度の最小値が検出される。例えば、前述の表１では、ＩＤが「ＢＡ」の発光モジュール１１の輝度の差分値ΔＹが−１００で最小値になっており、差分値ΔＹ＝−１００（輝度Ｙ＋ΔＹ＝２９００）が取得される。
【００４８】
ステップ＃１４では一の発光モジュール１１の光学特性記憶部１７から定格電流時の輝度が読み出される。ステップ＃１５では設定された明るさに対応する輝度を得る駆動電流が制御装置３０の演算によって導出される。
【００４９】
例えば、明るさが５０％に設定されている場合は、輝度がスペックの５０％（Ｙ＝１５００）となる駆動電流が導出される。即ち、輝度（Ｙ＋ΔＹ）が３０００の発光モジュール１１の駆動電流は定格電流の５０％である。輝度（Ｙ＋ΔＹ）が３３００の発光モジュール１１の駆動電流は定格電流の５０％×ｆ（３０００／３３００）である。輝度（Ｙ＋ΔＹ）が２９００の発光モジュール１１の駆動電流は定格電流の５０％×ｆ（３０００／２９００）である。ここで、ｆは、発光素子の駆動電流−発光輝度特性によって決定される所定の係数である。
【００５０】
この時、明るさが１００％（最大レベル）に設定されている場合は、ステップ＃１３で検出した輝度の最小値となる駆動電流が制御装置３０によって導出される。即ち、表１の例では輝度（Ｙ＋ΔＹ）が３０００の発光モジュール１１の駆動電流は定格電流×ｆ（２９００／３０００）である。輝度（Ｙ＋ΔＹ）が３３００の発光モジュール１１の駆動電流は定格電流×ｆ（２９００／３３００）である。輝度（Ｙ＋ΔＹ）が２９００の発光モジュール１１の駆動電流は定格電流×ｆである。これにより、定格電流を超える駆動電流の供給が防止される。
【００５１】
ステップ＃１６ではステップ＃１５で導出した駆動電流が該発光モジュール１１に供給され、発光モジュール１１が発光する。ステップ＃１７では各発光ユニットＡ、Ｂ、Ｃの全ての発光モジュール１１を発光して最後の発光モジュール１１になったか否かが判断される。最後の発光モジュール１１でない場合はステップ＃１４に戻り、ステップ＃１４〜＃１７が繰り返し行われる。そして、最後の発光モジュール１１を発光させると、処理を終了する。これにより、各発光モジュール１１に光学特性のばらつきを補正した駆動電流を供給し、各発光モジュール１１を均一な輝度で発光させることができる。
【００５２】
尚、全体均一発光モードでは発光モジュール１１の位置に拘わらず、均一な輝度で発光させる。このため、ユニット位置記憶部２１及びディップスイッチ１６から成る位置情報保持部を省いた照明システム１であってもよい。
【００５３】
次に、図９は各発光モジュール１１の配置に応じて徐々に明るさを可変するグラデーション発光モードの動作を示すフローチャートである。操作部３１の操作によってグラデーション発光モードが選択されると、ステップ＃２１で制御装置３０によって発光ユニット１０の設置面上の位置別の輝度が設定される。
【００５４】
例えば、上方の発光モジュール１１の輝度が高く設定され、下方の発光モジュール１１の輝度が低く設定される。この時、輝度の最大値をスペックに対して１００％に設定すると、定格電流時にスペックの輝度が得られない発光モジュール１１がある。このため、輝度の最大値はスペックの９０％程度に設定される。また、発光ユニットＡ、Ｂ、Ｃに応じて異なるグラデーション効果を操作部３１により設定できるようにしてもよい。
【００５５】
ステップ＃２２では一の発光モジュール１１の光学特性記憶部１７から定格電流時の輝度（Ｙ＋ΔＹ）が読み出される。ステップ＃２３では該発光モジュール１１の位置情報がユニット位置記憶部２１及びディップスイッチ１６から取得される。ステップ＃２４では発光モジュール１１の位置に応じた輝度を得る駆動電流が制御装置３０の演算によって導出される。
【００５６】
例えば、輝度が９０％に設定された位置の発光モジュール１１に対して、輝度がスペックの９０％（Ｙ＝２７００）となる駆動電流が光学特性に基づいて導出される。輝度が５０％に設定された位置の発光モジュール１１に対して、輝度がスペックの５０％（Ｙ＝１５００）となる駆動電流が光学特性に基づいて導出される。
【００５７】
ステップ＃２５ではステップ＃２４で導出した駆動電流が該発光モジュール１１に供給され、発光モジュール１１が発光する。ステップ＃２６では各発光ユニットＡ、Ｂ、Ｃの全ての発光モジュール１１が発光して最後の発光モジュール１１になったか否かが判断される。最後の発光モジュール１１でない場合はステップ＃２２に戻り、ステップ＃２２〜＃２６が繰り返し行われる。そして、最後の発光モジュール１１を発光させると、処理を終了する。これにより、各発光モジュール１１に光学特性のばらつきを補正した駆動電流を供給してグラデーション発光を行うことができる。
【００５８】
尚、発光モジュール１１を位置に応じて異なる輝度で発光し、グラデーション以外の照明効果を施してもよい。また、発光モジュール１１を位置に応じて異なる輝度及び色で発光させた照明効果を施してもよい。
【００５９】
次に、図１０は部分均一発光モードの動作を示すフローチャートである。発光ユニットＡ、Ｂ、Ｃ全体を同じ明るさで発光する際に、人の目には隣接する発光モジュール１１の明るさの差を容易に判別できるが、離れた発光モジュール１１の明るさの差を判別しにくくなる。このため、部分均一発光モードでは隣接する発光モジュール１１間の輝度の差を所定範囲内になるように可変し、離れた発光モジュール１１の輝度の差が大きくても制御を施さないようにしている。これにより、制御装置３０の負荷を軽減することができる。
【００６０】
ステップ＃３１では操作部３１の操作によって照明の明るさが設定されるまで待機する。照明の明るさが設定されるとステップ＃３２で一の発光モジュール１１の光学特性記憶部１７から定格電流時の輝度（Ｙ、ΔＹ）が読み出される。ステップ＃３３ではユニット位置記憶部２１及びディップスイッチ１６から発光モジュール１１の位置情報が取得される。
【００６１】
ステップ＃３４では隣接する発光モジュール１１との輝度の差が所定値以内か否かが判断される。隣接する発光モジュール１１との輝度の差が所定値以内の場合、及び最初の発光モジュール１１の場合はステップ＃３７に移行する。ステップ＃３７ではステップ＃３１で設定した明るさに対応する駆動電流で発光モジュール１１が発光する。例えば、明るさが１００％の場合は定格電流の駆動電流が発光モジュール１１に供給され、明るさが５０％の場合は定格電流の５０％の駆動電流が発光モジュール１１に供給される。
【００６２】
隣接する発光モジュール１１との輝度の差が所定値よりも大きい場合は、ステップ＃３５で隣接する発光モジュール１１の輝度に合わせた駆動電流が導出される。例えば、明るさの設定を１００％とし、輝度Ｙの差が１００を超える時にステップ＃３５に移行する。カレントの発光モジュール１１の輝度（Ｙ＋ΔＹ）が３３００、隣接する発光モジュール１１の輝度（Ｙ＋ΔＹ）が２９００とすると、カレントの発光モジュール１１に対して例えば、スペック（Ｙ＝３０００）の輝度に対応する駆動電流が導出される。この時、カレントの発光モジュール１１は定格電流よりも低い駆動電流が供給され、スペックの輝度になる。
【００６３】
また、カレントの発光モジュール１１の輝度Ｙが３０００、隣接する発光モジュール１１の輝度Ｙが３３００の時に、隣接する発光モジュール１１に対して例えば、スペック（Ｙ＝３０００）の輝度に対応する駆動電流が導出される。これにより、カレントの発光モジュール１１の駆動電流が定格電流を超えることが防止される。この時、既に発光された隣接する発光モジュール１１の駆動電流が変更される。
【００６４】
このため、ステップ＃３６では隣接する発光モジュール１１の駆動電流が変更されたか否かが判断される。隣接する発光モジュール１１の駆動電流が変更されていない場合はステップ＃３７に移行する。隣接する発光モジュール１１の駆動電流が変更された場合は、ステップ＃３４に戻り、隣接する発光モジュール１１に対して更に隣接する発光モジュール１１と間の輝度の差が比較される。そして、ステップ＃３４〜＃３６が繰り返し行われる。
【００６５】
ステップ＃３７ではステップ＃３５で導出した駆動電流が該発光モジュール１１に供給され、発光モジュール１１が発光する。ステップ＃３８では各発光ユニットＡ、Ｂ、Ｃの全ての発光モジュール１１が発光して最後の発光モジュール１１になったか否かが判断される。最後の発光モジュール１１でない場合はステップ＃３２に戻り、ステップ＃３２〜＃３８が繰り返し行われる。そして、最後の発光モジュール１１を発光させると、処理を終了する。これにより、隣接する発光モジュール１１を所定の輝度の差で発光させることができる。
【００６６】
尚、同様の動作によって隣接する発光モジュール１１の輝度（Ｙ）及び色度（ｘ、ｙ）の差を所定範囲内になるように駆動電流を可変してもよい。
【００６７】
本実施形態の照明システム１によると、発光モジュール１１が光学特性情報を保持する光学特性記憶部１７（光学特性情報保持部）を備え、制御装置３０が各発光モジュール１１の駆動電流を光学特性情報に基づいて可変するので、光学特性のばらつきを補正して各発光モジュール１１を発光させることができる。従って、照明システム１を均一に発光させる場合やグラデーション等の照明効果を施して発光させる場合等に所望の明るさや色の発光状態を得ることができる。
【００６８】
また、各発光モジュール１１に対して所定の明るさまたは色が得られる駆動電流を制御装置３０によって光学特性情報から導出して各発光モジュール１１を駆動するので、各発光モジュール１１を容易に所望の発光状態で発光させることができる。
【００６９】
また、ユニット位置記憶部２１及びディップスイッチ１６が各発光モジュール１１の位置情報を保持する位置情報保持部を構成し、制御装置３０が位置情報に応じて各発光モジュール１１の駆動電流を可変するので、複数の発光モジュール１１に対してグラデーション等の照明効果を施すことや隣接する発光モジュール１１を均一に発光させることができる。
【００７０】
尚、各発光モジュール１１が単に電気的に接続されているだけで、位置情報保持部がディップスイッチ１６を省いてユニット位置記憶部２１のみから構成される場合であってもよい。この場合は、ユニット位置記憶部２１に記憶された位置情報を各発光モジュール１１の位置情報として制御装置３０が各発光モジュール１１の駆動電流を可変する。
【００７１】
これにより、発光ユニット１０を構成する発光モジュール１１の個数が例えば４個等の少ない場合に、同じ位置情報を有した発光モジュール１１を同じ明るさや色で発光させる。そして、位置情報に基づいて複数の発光ユニット１０に対してグラデーション等の照明効果を施すことや隣接する発光ユニット１０を均一に発光させることができる。従って、より簡易な構成で照明効果等を得ることができる。
【００７２】
また、複数の発光モジュール１１を連結した発光ユニット１０の位置情報を記憶したメモリから成るユニット位置記憶部２１と、各発光モジュール１１に設けられて発光ユニット１０上の各発光モジュール１１の位置を設定するディップスイッチ１６（設定部）とを有するので、各発光モジュール１１の位置を容易に保持することができる。
【００７３】
また、部分均一発光モードにおいて制御装置３０によって隣接する発光モジュール１０の輝度または色度の差を所定範囲にしたので、一部の発光モジュール１０のみに対して光学特性情報に応じて駆動電流を可変すればよい。従って、制御装置３０の負担を軽減することができる。
【００７４】
また、発光素子１３が異なる色を発光する複数の発光部１３Ｒ、１３Ｇ、１３Ｂを有し、光学特性情報が発光モジュール１０の定格電流時の輝度情報及び色度情報から成るので、発光モジュール１０を所望の明るさ及び色で発光させることができる。
【００７５】
尚、発光素子１３が単色光を発光する場合は光学特性記憶部１７で記憶される光学特性情報を発光モジュール１０の定格電流時の輝度情報とし、発光モジュール１０を所望の明るさで発光させることができる。
【００７６】
次に、図１１は第２実施形態の照明システムの構成を示すブロック図である。説明の便宜上、前述の図１〜図１０に示す第１実施形態と同一の部分は同一の符号を付している。本実施形態は第１実施形態に対してユニット位置記憶部２１及びディップスイッチ１６（いずれも図３参照）が省かれ、モジュール位置記憶部２０が設けられる。その他の部分は第１実施形態と同様である。
【００７７】
モジュール位置記憶部２０は各発光モジュール１０に設けられ、不揮発性のメモリにより形成される。モジュール位置記憶部２０には基準位置（例えば、制御装置３０）に対する発光モジュール１１の位置の位置情報が施工時の入力等によって記憶される。即ち、モジュール位置記憶部２０は発光モジュール１０の位置情報を保持する位置情報保持部を構成する。
【００７８】
モジュール位置記憶部２０によって各発光モジュール１１の位置が特定され、位置に応じた駆動電流が供給される。従って、第１実施形態と同様に、グラデーション発光モード等の照明効果を施した動作や部分均一発光モードの動作を行うことができる。
【００７９】
次に、図１２は第３実施形態の照明システムの構成を示すブロック図である。説明の便宜上、前述の図１１に示す第２実施形態と同一の部分は同一の符号を付している。本実施形態は第２実施形態に対して制御装置３０がマスター部３０ａとスレーブ部３０ｂとに分離して構成される。その他の部分は第２実施形態と同様である。
【００８０】
マスター部３０ａは商用電源に接続され、コード部１９（図２参照）を介して各発光ユニット１０に接続される。スレーブ部３０ｂは各発光モジュール１１に設けられてマスター部３０ａと通信を行う。また、マスター部３０ａからスレーブ部３０ｂに各発光モジュール１１を発光させる明るさまたは色の発光情報が指示される。そして、スレーブ部３０ｂによってマスター部３０ａから指示された明るさまたは色の発光情報に対応した駆動電流を導出して発光モジュール１０を駆動する。
【００８１】
本実施形態によっても第２実施形態と同様の動作を行い、同様の効果を得ることができる。尚、第１実施形態の制御装置３０をマスター部３０ａとスレーブ部３０ｂとに分離して構成してもよい。
【００８２】
第１〜第３実施形態において、照明システム１は複数の発光ユニット１０を備えているが、複数の発光モジュール１１を有する発光ユニット１０が一つであってもよい。また、一の発光モジュール１１を有する発光ユニット１０を複数設けてもよい。
【００８３】
また、照明システム１は矩形のパネル状の発光モジュール１１を備えているが、発光モジュール１１は矩形に限らず円形や多角形の形状でもよい。また、発光モジュール１１をパネル状ではなくブロック状に形成してもよい。
【００８４】
また、発光モジュール１１の位置情報を発光ユニット１０または発光モジュール１１によって保持しているが、制御装置３０に設けた不揮発性のメモリに各発光モジュール１１の位置情報を記憶してもよい。
【産業上の利用可能性】
【００８５】
本発明によると、設置面に配設された複数の発光モジュールをそれぞれ制御して発光させる照明システムに利用することができる。
【符号の説明】
【００８６】
１    照明システム
１０    発光ユニット
１１    発光モジュール
１２    基材
１３    発光素子
１４    レンズ
１５    接続端子
１６    ディップスイッチ
１７    光学特性記憶部
１８    枠材
１９    コード部
２０    モジュール位置記憶部
２１    ユニット位置記憶部
３０    制御装置
３１    操作部
【図１】
2012014894.tif 000004
【図２】
2012014894.tif 000005
【図３】
2012014894.tif 000006
【図４】
2012014894.tif 000007
【図５】
2012014894.tif 000008
【図６】
2012014894.tif 000009
【図７】
2012014894.tif 000010
【図８】
2012014894.tif 000011
【図９】
2012014894.tif 000012
【図１０】
2012014894.tif 000013
【図１１】
2012014894.tif 000014
【図１２】
2012014894.tif 000015